(57)【要約】【課題】  使用者の意図しないボタン操作があった場合に、スイッチが投入されることを防止する電子機器を提供する。【解決手段】  第１方向に移動することにより、基板２０上に配置された第１スイッチ２８の投入状態と切断状態とを切り替える第１ボタン１６と、前記第１ボタンに隣接し、前記第１方向に移動することにより前記基板上に配置された第２スイッチ２２の投入状態と切断状態とを切り替える第２ボタン１４と、前記第１ボタンの前記第１方向への移動に伴って、前記第２ボタンの前記第１方向への移動を阻害する抑止部材３０とを備える。【選択図】  図２
2009238689.tif 000002
【特許請求の範囲】
【請求項１】
第１方向に移動することにより、基板上に配置された第１スイッチの投入状態と切断状態とを切り替える第１ボタンと、
前記第１ボタンに隣接し、前記第１方向に移動することにより前記基板上に配置された第２スイッチの投入状態と切断状態とを切り替える第２ボタンと、
前記第１ボタンの前記第１方向への移動に伴って、前記第２ボタンの前記第１方向への移動を阻害する抑止部材とを備えること
を特徴とする電子機器。
【請求項２】
前記第２ボタンはフランジ部をさらに備え、
前記抑止部材は、前記第１ボタンの前記第１方向への移動に伴って、前記第２ボタンの前記フランジ部と前記基板との間に進入することにより、前記第２スイッチの投入状態と切断状態との切り替えを阻害すること
を特徴とする請求項１に記載の電子機器。
【請求項３】
前記抑止部材は、前記第１ボタンの前記第１方向に移動する際に発生する前記第１方向の力を、前記第１の方向に直交する第２方向への力に変換するための変換手段を備えること
を特徴とする請求項１または請求項２に記載の電子機器。
【請求項４】
前記抑止部材は、前記第１ボタンが前記第１方向とは反対方向である第３方向へ移動することにより、前記第２ボタンの前記フランジ部と前記基板との間から退避すること
を特徴とする請求項２または請求項３に記載の電子機器。
【請求項５】
前記抑止部材は、前記第２ボタンが前記第１方向へ移動することにより、前記第２ボタンの前記フランジ部と前記基板との間から退避すること
を特徴とする請求項１から請求項３のいずれか一項に記載の電子機器。
【請求項６】
前記第１ボタンが電子機器筐体外に突出する長さは、前記第２ボタンが電子機器筐体外に突出する長さよりも大きいこと
を特徴とする請求項１から請求項５のいずれか一項に記載の電子機器。
【請求項７】
前記第２ボタンは、前記電子機器の電源を投入または切断する電源ボタンであること
を特徴とする請求項１から請求項６のいずれか一項に記載の電子機器。
【請求項８】
前記電子機器は、撮像装置であること
を特徴とする請求項１から請求項７のいずれか一項に記載の電子機器。
【発明の詳細な説明】
【技術分野】
【０００１】
本発明は、所定方向への移動によりスイッチをオンするボタンを備える電子機器に関するものである。
【背景技術】
【０００２】
携帯中に電源ボタンが誤操作され、使用者の意図しない起動が行われた場合に、誤操作された後の処理のための使用者の操作や無用の機械的負担を防ぐ撮像装置が知られている（例えば、特許文献１参照）。この撮像装置においては、携帯中に誤って電源ボタンが操作され、鏡筒の繰り出し動作が開始された時に、障害物により繰り出し動作が阻害されると、繰り出し動作を中止して、鏡筒を沈胴位置に戻す処理が行われる。
【特許文献１】特開平１０−２６０４４０号公報
【発明の開示】
【発明が解決しようとする課題】
【０００３】
しかし、上述の撮像装置では、鞄の中等で電源ボタンが誤操作された場合に、鏡筒が繰り出すため、撮影レンズに過度の負荷がかかるおそれがあった。
【０００４】
本発明の目的は、使用者の意図しないボタン操作があった場合に、スイッチが投入されることを防止する電子機器を提供することである。
【課題を解決するための手段】
【０００５】
本発明の電子機器は、第１方向に移動することにより、基板上に配置された第１スイッチの投入状態と切断状態とを切り替える第１ボタンと、前記第１ボタンに隣接し、前記第１方向に移動することにより前記基板上に配置された第２スイッチの投入状態と切断状態とを切り替える第２ボタンと、前記第１ボタンの前記第１方向への移動に伴って、前記第２ボタンの前記第１方向への移動を阻害する抑止部材とを備えることを特徴とする。
【発明の効果】
【０００６】
本発明の電子機器によれば、使用者の意図しないボタン操作があった場合に、スイッチが投入されることを防止できる。
【発明を実施するための最良の形態】
【０００７】
以下、図面を参照して本発明の実施の形態に係る電子機器、ここでは電子機器としてカメラについて説明する。図１は、実施の形態に係るカメラ２の外観を示す斜視図である。カメラ２の前面には撮影レンズを備える沈胴式の撮影鏡筒１０、被写体に向けて補助照明を投影する発光部１２が設けられている。また、カメラ２の上部には、下方に移動し、後述する電源スイッチ２２をオンまたはオフすることによりカメラ２に電力の供給を開始または終了する電源ボタン１４が設けられている。また、電源ボタン１４に隣接して、下方に移動し、後述するシャッタスイッチ２８をオンすることによりレリーズ動作を指示するシャッタボタン１６が設けられている。
【０００８】
図２は、実施の形態に係る電源ボタン１４及びシャッタボタン１６の断面図であり、図３は、シャッタボタン１６の外観を示す斜視図である。図２に示すように電源ボタン１４は、フランジ部１８ａを有する電源ボタン本体１８及び押圧部１９を有し、電源ボタン１４の垂直下方に設けられた基板２０には、電源ボタン１４が下方に移動し、押圧部１９により押圧された場合にカメラ２に電力の供給を開始または終了する電源スイッチ２２が配置されている。また、シャッタボタン１６は、シャッタボタン本体２４、押圧部２５及び腕部２６を有し、シャッタボタン本体２４、押圧部２５及び腕部２６が一体に形成されている。シャッタボタン１６の鉛直下方の基板２０には、シャッタボタン１６が下方に移動し、押圧部２５により押圧された場合に、レリーズ動作を指示するシャッタスイッチ２８が配置されている。
【０００９】
また、図３に示すように腕部２６は、シャッタボタン本体２４の側面に張り出して形成されており、シャッタボタン１６が押下され、下方に移動するときに、後述の抑止部材３０に力を伝達する斜面３２を有している。腕部２６の下方には電源ボタン１４方向に移動し、電源ボタン１４のフランジ部１８ａの下部に進入することによって、電源スイッチ２２がオンすることを阻害する抑止部材３０が配置されている。
【００１０】
図４は、実施の形態に係る抑止部材３０の外観を示す斜視図である。抑止部材３０には、基板２０に固定される抑止部材本体３４、電源ボタン１４方向に伸縮可能なＵ字型の伸縮部３６、シャッタボタン１６の腕部２６の斜面３２と当接する斜面３８、伸縮部３６が電源ボタン１４方向に伸長しているときに電源ボタン１４の下方への移動を阻害する突起部４０が設けられている。ここで、抑止部材３０は、少なくとも伸縮部３６が樹脂、プラスチック、ゴム等の伸縮可能な部材により形成されている。
【００１１】
通常、鞄の中等で周囲の物体にカメラ２の上部が衝突するときは、電源ボタン１４とシャッタボタン１６とがともに押下される可能性が高い。
【００１２】
ここでカメラ２は、図２に示すように、シャッタボタン１６のカメラ筐体２ａ上面からの突出量Ｄ１は、電源ボタン１４のカメラ筐体２ａ上面からの突出量Ｄ２より大きくなっている。これにより、電源ボタン１４よりも先にシャッタボタン１６が押下されやすい構造となっている。
【００１３】
次に図２〜図８を参照して、電源ボタン１４及びシャッタボタン１６の動作について説明する。電源ボタン１４及びシャッタボタン１６が共に押下されていない場合には、図２に示す初期状態となっている。
【００１４】
シャッタボタン１６が押下され下方に移動すると、シャッタボタン１６の腕部２６の斜面３２と抑止部材３０の斜面３８は接触しているため、シャッタボタン１６を押下する鉛直方向下向きの力は、斜面３２及び斜面３８を介して、鉛直方向に直交する方向の力に変換され、抑止部材３０に伝達される。抑止部材３０に水平方向の力が伝達されると、伸縮部３６が図５に示す収縮した状態から、図６に示す伸縮部３６が伸長した状態となる。伸縮部３６が伸長すると、図７に示すように電源ボタン１４のフランジ部１８ａと基板２０との間に抑止部材３０が進入する。従って、この状態において電源ボタン１４が押下されても、図８に示すように突起部４０がフランジ部１８ａと基板２０との間に位置し、電源ボタン１４の下方への移動を阻害するため、電源スイッチ２２がオンまたはオフすることを防止できる。
【００１５】
シャッタボタン１６は図示しないばね等により初期状態の位置に戻るように付勢されているため、シャッタボタン１６を下方へ移動させる力が解除されると、上方へ移動する。このとき、腕部２６はシャッタボタン１６と共に上方へ移動し、腕部２６の斜面３２から抑止部材３０の斜面３８に力が伝達されなくなる。従って、伸縮部３６は収縮し、図６に示す伸長状態から図５に示す初期状態へ戻り、抑止部材３０はフランジ部１８ａと基板２０の間から退避する。
【００１６】
この実施の形態のカメラ２においては、シャッタボタン１６のカメラ筐体２ａ上面からの突出量Ｄ１は、電源ボタン１４のカメラ筐体２ａ上面からの突出量Ｄ２より大きいため、鞄の中等で周囲の物体にカメラ２の上部が押付けられた場合には、電源ボタン１４よりも先にシャッタボタン１６が押される可能性が高い。従って、電源が入っていない状態において、電源ボタン１４より先にシャッタボタン１６が押され下方に移動することにより、抑止部材３０がフランジ部１８ａと基板２０との間に進入した状態となり、電源ボタン１４が下方へ移動することは阻害され、電源スイッチ２２がオンすることを防止できる。
【００１７】
ここで、２つのボタンが備える機能は、一方のボタンが操作されるときは他方のボタンは操作されないような、それぞれが独立して操作される機能であることが好ましい。例えば、２つのボタンが電源ボタン１４とシャッタボタン１６である場合、カメラ２に電源を投入する際には電源ボタン１４が押下され、シャッタボタン１６が押下されることはない。また、カメラ２の撮影動作の際にはシャッタボタン１６が押下され、電源ボタン１４が押下されることはない。カメラ２の撮影動作の際、電源ボタン１４は、シャッタボタン１６が押下されることにより抑止部材３０がフランジ部１８ａと基板２０との間に進入するので、操作することはできない。しかし、カメラ２の撮影動作の際に電源ボタン１４を操作する可能性はほとんどないので、電源ボタン１４の操作が行なえなくても何ら問題はなく、またカメラ２の撮影動作を阻害するものでもない。
【００１８】
なお、上述の実施の形態においては抑止部材３０に伸縮性を有する伸縮部３６を設け、伸縮部３６の伸長により突起部４０が電源ボタン１４のフランジ部１８ａと基板２０との間に進入する構成としたが、例えば、ゴム部材、バネ部材等により抑止部材本体と突起部４０とを接続する構成等、シャッタボタン１６が押下された場合に突起部４０が電源ボタン１４のフランジ部１８ａと基板２０との間に進入し、電源スイッチ２２がオンすることを阻害し、シャッタボタン１６の押下が解除された場合にフランジ部１８ａの下方から退避する構成であればどのような構成でもよい。
【００１９】
また、デザイン上、カメラ筐体２ａ上面からの電源ボタン１４及びシャッタボタン１６の突出量を等しくする場合には、図９に示すように電源ボタン１４が電源スイッチ２２を押圧する押圧部１９の先端面３９と電源スイッチ２２との距離であるストロークＤ３を、シャッタボタン１４の押圧部２５とシャッタスイッチ２８との距離Ｄ４よりも長く設定する。ここで、このストロークは電源ボタン１４が押下され、押圧部１９の先端面３９が電源スイッチ２２を押圧するまでに移動する距離である。鞄の中等で周囲の物体にカメラ２の上部が衝突するときは、電源ボタン１４とシャッタボタン１６とがともに押下される可能性が高いので、電源ボタン１４が先に押下された場合でも、その直後にシャッタボタン１６が下方へ移動し、腕部２６を介して抑止部材３０に電源ボタン１４方向への力が伝達される。ストロークが長く設定されているため、電源ボタン１４が下方に移動して電源スイッチ２２をオンするより先に、突起部４０がフランジ部１８ａと基板２０との間に進入する。従って、電源ボタン１４の下方への移動が阻害され、電源スイッチ２２がオンすることを防止することができる。
【００２０】
また、図１０に示すように、抑止部材３０の突起部４０の電源ボタン１４側に斜面４０ａを設けると共に電源ボタン１４の突起部４０と接触する部分に斜面１８ａを形成してもよい。本実施の形態においては、シャッタボタン１６よりも電源ボタン１４が少し先に押下された場合には、シャッタボタン１６の下方への移動により、腕部２６を介して抑止部材３０に電源ボタン１４方向への力が伝達され、突起部４０の斜面４０ａが電源ボタン１４の斜面１８ｂを滑って抑止部材３０がフランジ部１８ａの下部に進入し、電源ボタン１４の下方への移動が阻害され、電源スイッチ２２がオンすることを防止することができる。
【００２１】
また、図１１に示すように、基板２０に形成された図中左右方向に延びる溝４２に沿って抑止部材３０を移動可能とし、抑止部材３０の電源ボタン１４側の上縁部に、電源ボタン１４のフランジ部１８ａに設けられた突出部４３の斜面４３ａに接する斜面３０ａを設け、シャッタボタン１６側の上縁部にシャッタボタン１６の腕部２６の斜面３２に接する斜面３８を設けてもよい。この場合には、シャッタボタン１６が下方に移動すると、腕部２６を介して抑止部材３０に力が伝達され、抑止部材３０が電源ボタン１４方向に移動する。従って、電源ボタン１４の下方への移動を阻害することができ、電源スイッチ２２がオンすることを防止できる。
【００２２】
一方、電源ボタン１４のみが下方に移動する場合には、抑止部材３０はシャッタボタン１６方向へ移動し、カメラ２の電源をオンすることができる。本実施の形態においては、カメラ２の電源がオンされた後、シャッタボタン１６によりレリーズ動作を行う場合、最初のレリーズ動作により、抑止部材３０は突出部４３の下部に位置し、その後はその位置を保持するため、レリーズ動作の度に抑止部材３０が基板２０と突出部４３との間に進入し、また、基板２０と突出部４３との間から退避する動作が行われることはなく、抑止部材３０の動作を効率的に行うことができる。
【００２３】
また、図１２に示すようにシャッタボタンと抑止部材を一体形成してもよい。本実施の形態において、シャッタボタンと抑止部材を一体形成したシャッタボタン４４は、シャッタボタン本体４６、押圧部４８、抑止部材５０を備え、抑止部５０には、伸縮部５２と抑止部５４が備えられている。また、基板２０上には、押圧部４８の垂直下方にシャッタスイッチ２８が、抑止部材５０の下方にはシャッタボタン４４が押下された際に伸縮部５２を伸長させる固定部材５６が固定されている。
【００２４】
次に図１３及び図１４を参照して、シャッタボタン４４が下方に移動するときの動作について説明する。図１３及び図１４は実施の形態にかかる電源ボタン１４、シャッタボタン４４及び固定部材５６の断面図であり、固定部材５６には、抑止部５４と接触し、シャッタボタン４４が下方に移動するときに伸縮部５２を伸長させる斜面５８が設けられている。電源ボタン１４及びシャッタボタン４４がともに下方に移動していない場合には、図１３に示す初期状態となっている。
【００２５】
シャッタボタン４４が押下され、下方に移動すると、シャッタボタン４４に連動して抑止部５４が下方へ移動しつつ、固定部材５６の斜面５８を滑って、伸縮部５２が電源ボタン１４方向へ伸長する。伸縮部５２が伸長すると図１４に示すように、抑止部５４が電源ボタン１４のフランジ部１８ａと基板２０との間に進入した状態となる。従って、この状態において電源ボタン１４が押下されても、抑止部５４が電源ボタン１４の下方への移動を阻害するため、電源スイッチ２２がオンすることを防止できる。
【００２６】
シャッタボタン４４は図示しないばね等により初期状態の位置に戻るように付勢され、シャッタボタン４４を下方へ移動させる力が解除されると、上方へ移動する。このとき、抑止部５４はシャッタボタン４４に連動して上方へ移動し、伸縮部５２が斜面５８に沿って収縮し、抑止部５４はフランジ部１８ａと基板２０の間から退避する。また、シャッタボタン４４も初期状態の位置へ移動する。
【００２７】
なお、本実施の形態においては、電源ボタンの押下による電源スイッチの投入を防止する場合について説明したが、これに限るものではなく、例えば電源ボタンの押下による電源スイッチの切断を防止するものであってもよい。
【００２８】
例えば、携帯用音楽プレーヤーであれば、使用者が音楽を聞いているとき、すなわち携帯用音楽プレーヤーの電源が投入されている状態であっても、本実施の形態に示したような構成とすることにより、例えば鞄の中等で携帯用音楽プレーヤーが周囲の物体に衝突したとしても、電源ボタンが不意に押下されることによる電源スイッチの切断を防止することができる。
【００２９】
なお、本実施の形態においては電子機器としてカメラを例に説明したが、携帯電話機、携帯用音楽プレーヤー、プリンタ、プロジェクタ、カーナビゲーション等であってもよい。また、本実施の形態においては押圧式のボタンを例に説明したが、スライド式のボタンであってもよい。
【図面の簡単な説明】
【００３０】
【図１】本発明の実施の形態に係るカメラの外観を示す斜視図である。
【図２】本発明の実施の形態に係る電源ボタン及びシャッタボタンを示す断面図である。
【図３】本発明の実施の形態に係るシャッタボタンの外観を示す斜視図である。
【図４】本発明の実施の形態に係る抑止部材の外観を示す斜視図である。
【図５】本発明の実施の形態に係る抑止部材の収縮状態を示す図である。
【図６】本発明の実施の形態に係る抑止部材の伸長状態示す図である。
【図７】本発明の実施の形態に係る電源ボタン及びシャッタボタンの動作を示す断面図である。
【図８】本発明の実施の形態に係る電源ボタン及びシャッタボタンの動作を示す断面図である。
【図９】本発明の実施の形態に係る電源ボタン及びシャッタボタンの変形例を示す断面図である。
【図１０】本発明の実施の形態に係る電源ボタン及びシャッタボタンの変形例を示す断面図である。
【図１１】本発明の実施の形態に係る電源ボタン及びシャッタボタンの変形例を示す断面図である。
【図１２】本発明の実施の形態に係る抑止部材と一体形成されたシャッタボタンの外観を示す図である。
【図１３】本発明の実施の形態に係る電源ボタン及びシャッタボタンの動作を示す断面図である。
【図１４】本発明の実施の形態に係る電源ボタン及びシャッタボタンの動作を示す断面図である。
【符号の説明】
【００３１】
２…カメラ、１４…電源ボタン、１６…シャッタボタン、１８ａ…フランジ部、２０…基板、２２…電源スイッチ、２６…腕部、２８…シャッタスイッチ、３０…抑止部材、３２…斜面、３６…伸縮部、４０…突起部。
【図１】
2009238689.tif 000003
【図２】
2009238689.tif 000004
【図３】
2009238689.tif 000005
【図４】
2009238689.tif 000006
【図５】
2009238689.tif 000007
【図６】
2009238689.tif 000008
【図７】
2009238689.tif 000009
【図８】
2009238689.tif 000010
【図９】
2009238689.tif 000011
【図１０】
2009238689.tif 000012
【図１１】
2009238689.tif 000013
【図１２】
2009238689.tif 000014
【図１３】
2009238689.tif 000015
【図１４】
2009238689.tif 000016